(57)【要約】      （修正有）【課題】キャップの備え付けられた筆記具を使用する場合、使用後の当該筆記具は備え付けのキャップに挿入する。その際、筆記具のキャップへの挿入が片手でも容易に行えるよう筆記具の挿入口が略鉛直上方である筆記具のキャップを提供する。【解決手段】安定的に姿勢を維持する重心を有する、または、安定的に姿勢を維持する底部を有する等により安定的に姿勢を維持する機能と略鉛直上方に向いた筆記具の挿入口３とを有する。【選択図】図１
2014200913.tif 000002
【特許請求の範囲】
【請求項１】
重い重量を有する部分と軽い重量を有する部分から構成される略球体の形状であって、その重心は軽い重量を有する部分が重い重量を有する部分よりもひとりでに上部となるように構成され、軽い重量を有する部分に筆記具の挿入口を略鉛直上方に向くように備えることを特徴とする筆記具のキャップ。
【請求項２】
安定的に姿勢を維持する底部と、略鉛直上方に向いた筆記具の挿入口とを備える筆記具のキャップ。
【請求項３】
安定的に姿勢を維持する底面部と中心軸が略鉛直上方に向いた略円筒形状部とから構成され、当該略円筒形状部の上方端面部に筆記具の挿入口を備えることを特徴とする筆記具のキャップ。
【請求項４】
安定的に姿勢を維持する支持部と中心軸が略鉛直上方に向いた略円筒形状部とから構成され、当該略円筒形状部の上方端面部に筆記具の挿入口を備えることを特徴とする筆記具のキャップ。
【発明の詳細な説明】
【技術分野】
【０００１】
本発明はバインダー、定盤等の上に置かれた際に筆記具の挿入口が略鉛直上方となる筆記具のキャップに関するものである。
【背景技術】
【０００２】
バインダー、定盤等の上に置かれた際に筆記具の挿入口が略鉛直上方となる筆記具のキャップは従来知られていない。
【発明の概要】
【発明が解決しようとする課題】
【０００３】
キャップの備え付けられた筆記具を使用する場合、使用後の当該筆記具は備え付けのキャップに挿入する。
【０００４】
その際、当該筆記具をバインダーに取り付けられた紙への文字の記載に使用したような場合、片方の手はバインダーを持っているため、当該筆記具のキャップへの挿入はバインダーを持っていない方の片手で行わなければならない。
【０００５】
また、当該筆記具を製造業における製品の検査において使用したような場合も、検査の担当者は片方の手は製品の検査に用いる検査具を持っているため、当該筆記具のキャップへの挿入は検査に用いる検査具を持っていない方の片手で行わなければならない。
【０００６】
しかし、従来の筆記具のキャップは円筒形状であるため筆記具の使用中はバインダー、定盤等の主要な面に円筒部分が接する状態で筆記具の挿入口を任意の方向に向けて置かれている場合がほとんどである。
【０００７】
したがって、使用後の筆記具をキャップに挿入する際はキャップの筆記具の挿入口を当該筆記具のペン先に向けなければならない手間が生じ煩わしさを感じる。
【０００８】
さらに、使用後の筆記具をキャップに挿入するためには、筆記具の胴軸をバインダー、定盤等の主要な面に略接する状態にする必要があるが文字等を書いているときの筆記具の持ち方では筆記具を上記のような状態にすることは難しい。そのため、筆記具を上記のような状態にできるよう持ち替えなければならない手間が生じ煩わしさを感じる。
【０００９】
本発明はこのような手間を排除し煩わしさを感じることなく使用後の筆記具をキャップに挿入するためのものである。
【課題を解決するための手段】
【００１０】
上記の問題点を解決するため、本発明の筆記具のキャップは安定的に姿勢を維持する重心を有する、または、安定的に姿勢を維持する底部を有する等により安定的に姿勢を維持する機能と、略鉛直上方に向いた筆記具の挿入口とを有することを特徴とする。
【発明の効果】
【００１１】
使用後の筆記具をキャップに挿入する際、本発明のキャップは筆記具の挿入口が略鉛直上方を向いている為、キャップに筆記具を挿入する際に従来必要となっていたキャップの筆記具の挿入口を筆記具のペン先に向けなければならない手間が排除できる。
【００１２】
また、使用後の筆記具をキャップに挿入する際、本発明のキャップは筆記具の挿入口が略鉛直上方を向いている為、キャップに筆記具を挿入する際に従来必要となっていたバインダー、定盤等の主要な面に円筒部分が接する状態で置かれているキャップに筆記具を挿入できるよう筆記具を持ち替えなければならない手間も排除できる。
【図面の簡単な説明】
【００１３】
【図１】本発明の実施の形態の一例を示す図である。
【図２】図１におけるＰ矢視を示す図である。
【図３】図１において筆記具を挿入した図である。
【図４】本発明の実施の形態の一例を示す図である。
【図５】図４におけるＱ矢視を示す図である。
【図６】図４において筆記具を挿入した図である。
【図７】本発明の実施の形態の一例を示す図である。
【図８】図７におけるＲ矢視を示す図である。
【図９】図７において筆記具を挿入した図である。
【発明を実施するための形態】
【００１４】
次に本発明の実施の形態の一例を図１により説明する。本発明の筆記具のキャップは重い重量を有する部分（１）と軽い重量を有する部分（２）とで構成される略球体の形状をしており、その重心は軽い重量を有する部分（２）が重い重量を有する部分（１）よりもひとりでに上部となるように構成され、軽い重量を有する部分（２）に筆記具の挿入口（３）を略鉛直上方に向くように備えることを特徴とする。よって本発明の筆記具のキャップを使用する際は、従来の筆記具のキャップを使用する際に必要であった筆記具の挿入口を筆記具のペン先に向けなければならない手間や、バインダー、定盤等の主要な面に円筒部分が接する状態で置かれているキャップに筆記具を挿入できるよう筆記具を持ち替えなければならない手間は排除されているため、ただちに筆記具（４）をキャップの筆記具の挿入口（３）に挿入すればよい。
【００１５】
次に本発明の実施の形態の他の一例を図４により説明する。本発明の筆記具のキャップは底面部（５）と中心軸が略鉛直上方に向いた略円筒形状部（６）とで構成され、当該略円筒形状部（６）の上方端面部に筆記具の挿入口（７）を備えることを特徴とする。よって本発明の筆記具のキャップを使用する際は、従来の筆記具のキャップを使用する際に必要であった筆記具の挿入口を筆記具のペン先に向けなければならない手間や、バインダー、定盤等の主要な面に円筒部分が接する状態で置かれているキャップに筆記具を挿入できるよう筆記具を持ち替えなければならない手間は排除されているため、ただちに筆記具（８）をキャップの筆記具の挿入口（７）に挿入すればよい。
【００１６】
次に本発明の実施の形態の他の一例を図７により説明する。本発明の筆記具のキャップは支持部（９）と中心軸が略鉛直上方に向いた略円筒形状部（１０）とで構成され、当該略円筒形状部（１０）の上方端面部に筆記具の挿入口（１１）を備えることを特徴とする。よって本発明の筆記具のキャップを使用する際は、従来の筆記具のキャップを使用する際に必要であった筆記具の挿入口を筆記具のペン先に向けなければならない手間や、バインダー、定盤等の主要な面に円筒部分が接する状態で置かれているキャップに筆記具を挿入できるよう筆記具を持ち替えなければならない手間は排除されているため、ただちに筆記具（１２）をキャップの筆記具の挿入口（１１）に挿入すればよい。
【符号の説明】
【００１７】
１  重い重量を有する部分
２  軽い重量を有する部分
３  筆記具の挿入口
４  筆記具
５  底面部
６  略円筒形状部
７  筆記具の挿入口
８  筆記具
９  支持部
１０  略円筒形状部
１１  筆記具の挿入口
１２  筆記具
【図１】
2014200913.tif 000003
【図２】
2014200913.tif 000004
【図３】
2014200913.tif 000005
【図４】
2014200913.tif 000006
【図５】
2014200913.tif 000007
【図６】
2014200913.tif 000008
【図７】
2014200913.tif 000009
【図８】
2014200913.tif 000010
【図９】
2014200913.tif 000011